(57)【要約】【課題】本発明の球技用ボールは、１２個の正五角形の織布片が互いに縫い合わされた球形状の１２面体を有する織布層を含んでいる。【解決手段】前記織布片の周縁が９０度折り曲げられ、当該周縁はミシンで互いに縫い合わされる。前記織布層は、ついで、十字状のスリットを通じて裏返される。当該十字状のスリットは織布層の内側に位置づけられるように、前記周縁がバルブ孔の反対側の位置の織布層に形成される（バルブ孔もまた織布層に形成される）。ブラッダーが、仕舞い孔から織布層内に収容されたのち、当該孔がパッチによって閉じられる。当該織布層の表面にパネルが接着される。これによって、当該不均一のない柔らかい球技用ボールが得られる。【選択図】図１
2008080176.tif 000002
【特許請求の範囲】
【請求項１】
ブラダーの中に空気を導入するためのバルブを含む前記ブラダーと、
前記ブラダーの外面に位置する織布層と、
前記織布層の外面に位置する表皮層であって、複数のパネルを備える前記表皮層とを備え、
前記織布層が、球状を形成するために互いに連結される複数の織布片を備え、
前記織布層が球状を形成するのを妨げる前記織布層のすべての部分が前記織布層の内側に位置し、前記部分が前記複数の織布片を互いに連結した結果として形成され、
前記織布層が球状を形成するのを妨げる前記部分が前記ブラダーの変形により吸収され、それにより前記織布層の外面が完全な球状を有し、その結果前記表皮層の外面の前記球状が維持されてなる球技用ボール。
【発明の詳細な説明】
【技術分野】
【０００１】
本発明は球技用のボールおよび該球技用ボールを製造するための方法に関する。
【背景技術】
【０００２】
便利なことに、空気が閉じ込められている構造を有する球技用ボールは、空気が閉じ込められているゴムから作られたブラダーと、それにより球形および耐久性が該ボールに適用される、該ブラダーの外側に形成される強化層と、該強化層上に付着される複数のパネルから構成される表皮層とを含む。
【０００３】
その周辺部分が球状を達成するために縫い付けられる１２個の織布片から構成されるような強化層が、特許文献１から既知である。該強化層のおかげで、ユーザは、該１２個の織布片の片側だけが縫い付けられず、該片側だけがブラダーを入れ、孔を通して該織布層を裏返しにし、該孔の縁部を内側に位置するように配置し、該織布層の中に該ブラダーを入れ、該縁部を外部に配置する一方で該孔を縫い付けるための孔としての役割を果たすように、該１２個の織布片を縫い合わせ、織布層を得ることによりきわめて柔らかな感覚を有することができるボールが達成される。
【０００４】
特許文献２では、複数の織布片をパラフィンから作られる球形の中空の本体の中に付着し、該複数の部分の内の１つに開口部を形成し、該複数の該球形の中空本体を部分の中に折り畳み、該折り畳まれた部分を該開口部から取り除き、該開口部を通してブラダーを挿入することにより球形の織布層が形成される技法が開示されている。
【０００５】
また、たとえば特許文献３から一般的に手縫いのボールと呼ばれるボールも既知である。このボールは、該パネルの隣接する周辺端縁が内側に折られ、球形の本体を形成するように縫い合わされるように該パネルを縫い付け、該球形の本体の中にブラダーを挿入することにより得られる。縫い付けられたボールでは、布地から作られる裏張り部材と呼ばれる部材が該パネルのそれぞれに付着される。該ブラダーを覆う布地などから作られる強化層はない。
【０００６】
前述された特許文献１に開示される構造では、ブラダーを収容するための孔のために縫い付けられる該縁部は外部に位置し、それにより該球状が形成されるのが妨げられる。すなわち、縫い付けられる該縁部のために該パネルを通して細かな凹凸が表面に出現する。この現象は概してミラースルー影響として知られており、該ボールを揺り動かさせる。
【０００７】
特許文献２に開示されている織布層では、織布片は、隣接する織布片の周辺の端縁が重ね合わされるように球形の中空本体の上に付着される。該重ね合わされた部分は、ボールが球状を形成するのを妨げ、パネルの表面上に細かな凹凸が出現する。特許文献２の構造では、織布片は縫い合わされていない。織布層が裏返しにされる知識もない。
【０００８】
通常、バルブがブラダーの必須要素の最大の要素である。ブラダーを球形の織布層の中に挿入するためには、孔が、バルブが孔を通過できる大きさを有することを必要とされる。すなわち、好ましくは、孔は約１５ｍｍの直径を有する。ブラダーはゴム製であり、弾性を有する。結果的に、バルブ以外のブラダーの要素は、それらを拡大し、引っ張ることにより容易に孔を通過できる。
【０００９】
他方、織布層が裏返されると、孔が、最小のサッカーボールであるサッカーボールの第３級のケースでさえ約２０ｍｍの最小直径を有することを必要とされる。織布層を裏返すための仕舞い孔のサイズは、ブラダーを挿入するだけのためのサイズとは異なる。サッカーボールの織布層を裏返すための孔は、バレーボールの織布層を裏返すための孔のサイズと実質的に同じサイズを有することを必要とされる。バスケットボールの織布層を裏返すための孔は、サッカーボールの織布層を裏返すための孔のサイズより大きなサイズを有することを必要とされる。
【００１０】
特許文献２に開示されるボールの構造では、織布片の重ね合わされた部分がミラースルー影響の一因となり、ミラースルー影響を削減するために、織布片の重ね合わされた部分がパネルの境界一致するこのような構造が利用される。それにも関わらず、ミラースルー影響を完全に取り除くことは不可能である。
【００１１】
さらに、特許文献３に説明されるように、球形の強化層を持たない縫い付けられたボールでは、糸を使用して隣接する織布片が縫い合わされる部分はより高い強度を有するため、隣接するパネルが縫い合わされた部分での引張り強さは、パネルのそれぞれの中心部での引っ張り強さとは異なる。その理由から、パネルの中心部が拡大されるため、高い真球度を有するボールを得ることはできないという問題がある。さらにボールの真球度はパネルを縫い合わせるために使用される糸の強度に大いに左右される。仕上がり状態、つまり同じ職人によっても引っ張り強さのばらつきのために均一な強度を有するボールを得ることはほぼ不可能である。
【００１２】
【特許文献１】米国特許第４，８５６，７８１号明細書
【特許文献２】米国特許第４，２３９，５６８号明細書
【特許文献３】米国特許第３，１１９，６１８号明細書
【発明の開示】
【発明が解決しようとする課題】
【００１３】
本発明は前述されたような状況を考慮してなされた。本発明の目的は、それにより真球度が大幅に改善され、真球度を妨げる部分のすべて（たとえば複数の織布片の縁部）が内側に位置し、織布層の表面を完全に球形にし、ミラースルー影響が発生するのを妨げられるケースで、仕舞い孔を通して織布層を裏返すための孔を提供し、孔を通してブラダーを収容する複数の織布片を備える球形の織布層を有するボールを製造するための方法、ならびに該方法により製造されるボールを提供することである。
【課題を解決するための手段】
【００１４】
本発明のある態様は、球技用のボールを製造するための方法であり、前記ボールが、
（ａ）ブラダーの中に空気を導入するためのバルブを含む前記ブラダーと、
（ｂ）複数の布部分を備える前記ブラダーの外側に位置する織布層であって、前記複数の織布片のそれぞれの周辺の端縁が内向きに折られ、前記複数の織布片の内の１つの前記周辺の端縁の１つ、および前記複数の織布片の内の前記１つに隣接する前記複数の織布片の内の他の１つの前記周辺の端縁の１つが、球状を形成するためにミシンにより縫い合わされ、前記複数の織布片の内の１つにバルブ孔が形成され、前記織布層を裏返しにし、前記ブラダーを収容するための締め切り縫い付けのための仕舞い孔が、前記複数の織布片の内の前記１つに対向する前記複数の織布片の内の該他方の１つの中に形成された織布層と、
（ｃ）前記織布層の外側に位置する表皮層であって、複数のパネルを備える前記表皮層と
を備え、
前記方法が、
（ｉ）前記複数の織布片の内の１つの前記縁部を、前記複数の織布片の内の前記１つに隣接する前記複数の織布片の内の他の１つの前記周辺の端縁を重ね合わせ、ミシンによって当該端縁を縫い合わせ、球形の織布層を形成するために前記周辺の端縁を外部に位置する工程と、
（ii）内側側面上に前記周辺の端縁を位置するために前記ブラダーを収容するための前記孔を通して前記織布層を裏返しにする工程と、
（iii）前記織布層の中に前記ブラダーを収容するために前記孔を通して前記ブラダーを収容する工程と、
（iv）前記ブラダーを収容するための前記孔を閉じる工程と、
（ｖ）前記織布層の外面に前記表皮層を形成する工程と
を備える方法。
【００１５】
この方法により、織布層の表面は、表面に凹凸がなく、ミラースルー影響が完全に回避できる平坦化された平面である場合がある。
【００１６】
好ましくは、前記ブラダーを収容するための仕舞い孔の周辺部の上にパッチが当接し、前記パッチが前記織布片に付着され、それにより前記孔が閉じられる。それにより、パッチは孔を閉じるために接着剤で織布層に接着され、球形の織布層は完成され、孔はバルブに対向して位置する。その結果、パッチはバルブに対する重量を計る手段として役立つ。
【００１７】
好ましくは、パッチは、前記ブラダーを収容するための前記孔の周辺部の上に当接し、前記パッチは、前記織布層内に形成されるバルブ孔を通してミシンによって前記織布片と縫い合わされる。それによりパッチは孔を閉じるために織布層と縫い合わされ、球形の織布層は完成し、孔はバルブに対向するために配置される。その結果、パッチはバルブに対して重量を計るための手段として役立つ。
【００１８】
好ましくは、パッチは前記ブラダーを収容するための前記孔の周辺部の上に当接され、前記パッチは、手で孔を閉めるために手縫いで前記織布片と縫い合わされる。そのケースでは、バルブ孔が使用される。
【００１９】
好ましくは、前記ブラダーを収容するための前記孔は互いに垂直に交差する２つのスリットから構成され、前記スリットは、前記スリットの先端部の終わりから前記織布片の端縁までの最小距離が、前記最小距離が少なくとも１０ｍｍであるという条件下で設定され、前記織布片の端縁に前記スリットの先行する端部から最小の距離が２０ｍｍという最小長さおよび最大長さを有し、前記スリットの前記長さは最小長と最大長のあいだにおよぶ。それにより、孔は十字形状のスリットに形成され、十字形状のスリットを完全に閉じることができる。その結果として、織布層がブラダーからの圧力にさらされても、パッチでの強度は絶えず維持され、球状が維持できる。したがって、孔が円形の形状を有する場合には、円形の孔の強さは、パッチが織布層と重ね合わされる円形の孔の周囲の強度より小さいためである。円形の孔の内側に位置するパッチは、ブラダーからの圧力のために拡張される可能性がある。
【００２０】
スリットの長さが前述されたような範囲を有するように定められるため、織布層を裏返しにする手順は、最小長で実行することができ、スリットの形成により引き起こされる強度の引き下げは最大長により防止できる。
【００２１】
好ましくは、前記ブラダーを収容するための前記孔はミシンにより前記バルブ孔を通して閉じられる。それにより、縫い付け手順によって、孔は球形の織布層を完成するために閉じられ、縫い合わされる部分の回復特性および柔軟性がスリットの周辺部の同じ値で維持される。
【００２２】
好ましくは、前記織布層は１２個の正五角形の織布片から構成される。それにより、１２個の正五角形の織布片は縫い合わされ、正１２面体を形成する。その結果、正１２面体を構成する各平面を球状に、かつ外向きに変形させることにより球形の本体が得られる。正１２面体の球形の織布層では、縫い目線が球面上で等しく分散される条件下で球形の部分に大きな負荷をかけずに球形の本体が得られる。さらに、縫合線の数を削減することができ、その結果削減された時間内で縫い付けの手順を実行できるようにする。
【００２３】
好ましくは、前記織布片は互いに積層される２つの織布片から構成され、前記２つの織布片の一方の縦糸の方向は前記２つの織布片の他方の１つの縦糸の方向に垂直である。従来のボールにおける単一層の織布片のケースでは、該縦糸方向の引張り強さは横糸方向の引っ張り強さとは異なる（通常、縦糸方向の引張り強さは横糸方向の引っ張り強さより大きい）。本発明の二層の織布片（つまり、重ね合わされた２つの織布片）を有する構造のおかげで、縦糸方向の強度は横糸方向の強度と実質的に同じである。２つの織布片は、縦糸方向が横糸方向に垂直出る条件下で重ね合わされる。その後、該重ね合わされた織布片はラテックスペーストに浸漬を受けることにより互いに付着される。
【００２４】
好ましくは、前記複数のパネルの前記それぞれは、表面層、および前記表面層の裏面に付着される衝撃吸収層から構成され、前記表面層の周辺の端縁は９０度内向きに円形に回転され、それにより前記衝撃吸収層の側面は前記内向きに回転された周辺の端縁で覆われ、前記パネルは接着剤で前記織布層に接着される。それにより、パネルの緩衝材特性は衝撃吸収層によって改善される。隣接するパネル間の連結部において、パネルは、パネルの周辺の端縁が９０度円形に折られ、パネルの内の１つの周辺の端縁がパネルの内の前記１つに隣接したパネルの内の他の１つの周辺の端縁と縫い合わされるように縫い合わされる従来の手縫いのボールで見られる部分のＶ字状の形状を有する急勾配の溝が形成される。ボールの把持特性は改善され、溝により空気抵抗が引き下げられる。
【００２５】
好ましくは、前記複数のパネルの内の１つの前記内向きに回転された周辺の端縁は、接着剤で前記複数のパネルの内の前記１つに隣接した前記複数のパネルの内の他の１つの前記内向きの端縁に接着される。それにより、隣接するパネルの連結面は隙間を生じさせることなくしっかりと連結される。
【００２６】
好ましくは、前記表皮層は２枚のパネルを重ね合わせ、前記重ね合わされたパネルの周辺の端縁を縫い付け、前記周辺の端縁が内側に位置するように縫い合わされる前記周辺の端縁を９０度円形に回転することにより形成される。それにより、隣接するパネル間の縫い付け強度などの縫い付け品質は安定できる。
【００２７】
好ましくは、前記回転された表皮層は接着剤で前記織布層に接着される。それにより隣接するパネルの連結面は隙間を生じさせることなくしっかりと連結される。
【００２８】
本発明の別の態様は、球技用のボールを製造するための方法であって、
前記ボールが、
（ａ）ブラダーの中に空気を導入するためのバルブを含む前記ブラダーと、
（ｂ）複数の織布片を備える前記ブラダーの外側に位置する織布層であって、前記複数の織布片のそれぞれの周辺の端縁は内向きに折られ、前記複数の織布片の内の１つの前記周辺の端縁の１つ、および前記複数の織布片の内の前記１つに隣接する前記複数の織布片の内の他方の１つの前記周辺の端縁の１つが、球状を形成するためにミシンによって縫い合わされた織布層と、
（ｃ）前記織布層の外部に位置する表皮層であり、複数のパネルを備える前記表皮層とを備え、
前記方法が、
（ｉ）前記複数の織布片の内の１つの中に孔を形成する工程と、
（ii）前記複数の織布片の内の１つの前記周辺の端縁を、前記複数の織布片の内の前記１つに隣接する前記複数の織布片の内の他の１つの前記周辺の端縁と重ね合わせ、ミシンによって当該端縁を縫い合わせ、球形の織布層を形成するための外側に前記周辺の端縁のすべてを位置する工程と、
（iii）前記孔を通して前記織布層を裏返しにし、前記周辺の端縁のすべてを内側に位置し、前記周辺の端縁が、前記織布層が球経緯形成することを防ぐための部分として役立ち、外面が完全に滑らかな球面となることを可能にする工程と、
（iv）前記孔を通して前記織布層の中に前記ブラダーを収容する工程と、
（ｖ）前記孔を閉じるために前記織布層の内側から前記孔上にパッチを当接する工程と、
（vi）前記織布層の外面に前記表皮層を形成する工程と
を備えている。
【００２９】
それにより、織布層の表面では、織布片の部分的な重ね合わせおよび凹凸により引き起こされる細かな高さの差が完全に排除される。結果的に、織布層全体で高い真球度が達成でき、滑らかな球面が織布層の表面のすべてで達成できる。また、織布層の上に形成されるパネルを備える表皮層では、細かな高さの差および凹凸が発生するのを防ぐことができる。
【００３０】
本発明の他の態様は、
ブラダーの中に空気を導入するためのバルブを含む前記ブラダーと、
前記ブラダーの外側に位置する織布層と、
前記織布層の外側に位置する表皮層であって、複数のパネルを備える前記表皮層とを備え、
前記織布層が互いに球状に連結される複数の織布片から構成され、
前記織布層が球状を形成するのを防ぐためのすべての部分が前記織布層の内側に位置し、前記部分が、前記複数の織布片が球状に連結される部分で形成され、
前記ブラダーが、前記織布層が球状を形成するのを妨げるために前記部分に応えて変形され、前記織布層が球状を形成するのを妨げるための前記部分が吸収され、それにより完全な球状を有する前記織布層の外面が、前記織布層が球状を形成するのを妨げるための前記部分に影響をおよぼさずに維持され、その結果完全な球状を有する前記表皮層の外面が維持されてなる球技用のボールである。
【００３１】
それにより、織布層の表面では、たとえば、前記織布片の部分的な重ね合わせにより引き起こされる細かな凹凸はなく、相応して表皮層の表面では細かな凹凸はない、その結果、高い精度の球面を有するボールが達成できる。
【発明の効果】
【００３２】
本発明によれば、縫い付けられる周辺端縁のすべては織布層の内側に位置する。したがって、あらゆる突出部は表面上で生じず、滑らかな表皮層を有する球面が達成できる。従来のボールでは、縫い付けられる周辺端縁の突出部などの細かな凹凸が、パネルの表面に対するいわゆるミラースルー影響を引き起こすために織布層の表面に出現する。本発明の構造のおかげで、本発明のボールは、飛行するボールの所望される軌跡から逸脱しないように防止できる。さらに滑らかな表面を有するボールが達成され、ボールの外観は改善される。
【００３３】
さらに、本発明にしたがって、織布片はミシンにより縫い付けられる。そのため、縫い付け手順は削減された時間内で実行され、縫い糸の引っ張り強さなどの安定した品質が達成される。
【００３４】
また本発明は、パッチは前記ブラダーを収容するための前記孔の周辺部の上に当接され、前記パッチは前記織布片に付着され、それにより前記孔が閉じられる。それにより、閉じられた球形の織布層を有する織布層が完成する。さらに、前述された構造のおかげで、孔を閉じるための作業は容易に実行される。さらに、孔がバルブに対向するように位置するため、パッチはバルブに対して重量を釣り合わせるための手段として役立ち、ボールの重心は、ボールの幾何学状の中心に実質的に一致する。その結果、本発明のボールは、飛行するボールの所望される軌跡から逸脱しないように防止できる。
【００３５】
また本発明は、前記パッチは前記織布片と縫い合わされ、強力な曲げ強さが達成される。さらに、パッチおよび織布片が、ミシンの針がバルブ孔を通過するという条件下でミシンにより縫い合わせることができる。そのため、縫い付け手順は削減された時間内で容易に実行でき、縫い糸の引っ張り強さなどの安定した品質が達成される。さらに、パッチは前述されたようなバルブに重量を釣り合わせるための手段としての役割を果たす。パッチは手縫いにより織布片と縫い合わせることができる。そのケースでは、孔を閉じるための特殊なミシンは必要とされない。
【００３６】
また本発明は、十字形状のスリットを完全に閉じることができる。その結果、パッチの強度は絶えず維持され、織布層がブラダーからの圧力を受けるとしても球体を維持することができる。織布層を裏返すための要件（最小長）と織布層の強度の劣化を防ぐための要件（最大長）の両方ともが満たされる範囲内にスリットの長さを設定することにより、短縮された期間内で相対的に容易に、およびスリット付きの織布片の耐久性を下げすぎずに、球形の織布層が製造できる。
【００３７】
また本発明は、スリットは、たとえばミシンによりスリットの周囲を交互に縫い付けるこのような手順によって閉じられる。それにより、縫い付け手順によって、孔は球形の織布層を完成するために閉じられ、縫い合わされる部分の回復特性および柔軟性はスリットの周囲の同じ値で維持される。
【００３８】
また本発明は、前記織布層は、１２個の正五角形の織布片から構成される。それにより、１２個の正五角形の織布片は正１２面体を形成するために縫い合わされる。その結果、正１２面体を構成する核平面を球状に、かつ外向きに変形させることによって球形の本体が得られる。そのため、実質的に等しい引張り強さが該１２面体のそれぞれの辺にかけられ、ボールの真球度は高い精度で達成できる。
【００３９】
また本発明は、織布片は互いに積層される織布の少なくとも２枚のシートから構成されるため、縦糸方向の強度は横糸方向の強度に実質的に等しい。その結果、縦糸方向での変形の量は横糸方向での変形の量に実質的に等しくなる。したがって、織布層の球状（つまり、ボールとしての球状）は長い間隔で維持される。
【００４０】
また本発明は、パネルの緩衝特性は衝撃吸収層によって改善される。隣接するパネル間の連結部では、Ｖ状の形状を断面に有する急勾配の溝が形成される。ボールの把持特性は改善され、溝により空気抵抗は引き下げられ、その結果飛行距離が増す。
【００４１】
また本発明は、前記複数のパネルの内の１枚の前記内向きに回転された周辺端縁は接着剤で前記複数のパネルの内の前記１枚に隣接する前記複数のパネルの他の１枚の前記内向きの端縁に接着される。それにより、隣接するパネルの連結面は、隙間を生じさせることなくしっかりと連結される。その結果、雨水が隙間を通ってボールの中に進入し、ボールの重量を増加させる従来のボールの問題、あるいはパネルが容易に剥がされる別の問題は排除される。
【００４２】
また本発明は、前記表皮層は２枚のパネルを重ね合わせ、前記重ね合わされたパネルの周辺端縁を縫い付け、前記周辺端縁が内側に位置するように縫い合わされる前記周辺端縁を９０度回転させることによって形成される。すなわち、球形の表皮層の形成は、ブラダーなどの別の要素を使用せずに実行される。それにより表皮層とブラダーの両方が自由に移され、衝撃吸収特性が増し、柔らかな感触のボールが達成される表皮層がブラダーと接触するようになるこのような構造が利用できる。さらに、隣接するパネル間の縫合強度などの縫合品質はミシンによって安定する。
【００４３】
また本発明は、前記回転された表皮層は接着剤で前記織布層に接着される。それにより、隣接するパネルの連結面は隙間を生じさせることなくしっかりと連結される。その結果、雨水が隙間を通ってボールの中に入り、ボールの重量を増加させる従来のボールの問題、あるいはパネルが容易に剥がされる別の問題は排除される。また、球状に形成される織布層の表面では、織布片の部分的な重ね合わせおよび凹凸により引き起こされる細かな高さの差が完全に排除されている。その結果、織布層全体で高い真球度が達成でき、織布層のあらゆる部分の滑らかな球面が布呪医層上の表面のすべてで達成できる。その結果、パネルを備える織布層上に形成される表皮層の真球度および円滑さは増し、本発明のボールは飛行するボールの所望される軌跡から逸脱しないように防止でき、ボールを制御する特性が達成される。
【発明を実施するための最良の形態】
【００４４】
本発明が応用される実施形態が図面を参照して説明される。
【００４５】
図１から図３では、参照符号１は、１２個の五角形の織布片２が球状を形成するためにともに縫い付けられる織布層を示す。該織布層１は強化層としての役割を果たす。該織布片２の周辺の端縁は９０度内向きに折られる。１つの織布片２の折られた部分および他の織布片２の折られた部分が糸３でともに縫い付けられる。織布層１はミシンによってともに縫い付けられた正１２面体の構造を有して球状に形成される。
【００４６】
参照符号４は、織布片２の１つの中心に形成されるバルブ孔を示し、該バルブ孔は約１０ｍｍの直径を有する。空気を導入するための針がバルブの中に差し込まれると、空気がブラダーの中に導入される。
【００４７】
参照符号５は、バルブ孔４が形成される織布片２に対向する織布片２の中心に形成される孔を示す。該孔５は、スリット５ａおよび該スリット５ａに垂直であるスリット５ｂから構成される。すなわち、孔５は十字形状のスリットである。孔５は、織布層１を裏返しにし、織布層１の中にブラダーを収容するための孔のために使用される。図１では、織布層の背面上の隣接する織布片２のあいだの連結は破線Ｃにより示される。
【００４８】
織布層１を裏返しにする（つまり、布地を裏表にする）ためには、最小長として、スリット５ａおよびスリット５ｂが、それぞれ２０ｍｍという長さを必ず有し、約１９ｃｍという直径を有するボールのケースでさえ、ボールは小学校の生徒により使用される第３級サッカーボールと呼ばれる。長さが２０ｍｍより短い場合には、裏返し手順は実行するのが困難である。成人の選手によりおもに使用される約２２ｍｍという直径を有するボール（いわゆる第５級サッカーボール）のケースでは、スリット５ａおよびスリット５ｂはそれぞれ少なくとも４０ｍｍという長さを必ず有する。スリット５ａ、５ｂの長さが長いほど、裏返し手順はさらに容易となるが織布片２の強度は低くなる。そのため、裏返し手順に必要とされる最小長より長い長さのスリット５ａ、５ｂを有することは好ましくない。
【００４９】
すなわち、織布片２の所望される強度を維持するためには、スリット５ａ、５ｂの最大長は、スリット５ａ、５ｂの端部Ｐ１と織布片２の周辺端部に位置する点Ｐ２のあいだに約１０ｍｍという最小距離ｓを有する必要性により決定される（図４参照）。次に、スリット５ａ、５ｂの長さは最大長と最小長のあいだで設定される。距離ｓの長さが１０ｍｍより少ない場合には、織布片の強度は減少し、サッカーボールが繰り返し使用されるにつれて、点Ｐ１と点Ｐ２のあいだに位置する部分で破損が生じる可能性がある。
【００５０】
たとえば、第５級サッカーボールのケースでは、織布片２の側面は長さ７６ｍｍを有する。そのケースでは、織布片２のどれか１つの外形で刻まれる円は５３．２ｍｍという直径を有する。次に、ｓの値が１０ｍｍであるという状態では、スリット５ａ、５ｂの最小長は約８４ｍｍである。この実施形態（つまり、第５級サッカーボール）では、孔５はスリット５ａ、および十字形状を形成するためにスリット５ａ、５ｂの中心で５０ｍｍという長さを有するスリット５で垂直に交差されるスリット５ｂから構成される。
【００５１】
さらに、織布層１が、菱形の準正３２面体を形成するために１２個の五角形の織布片および２０個の六角形織布片から構成される状態では、十字形状のスリットが該２０個の六角形の織布片の１つの中心に形成され、ｓの値は１０ｍｍであり、最大長は約５８ｍｍである。
【００５２】
孔５は、スリットの周辺部分を縫い付けることにより完全に閉じられることが必要とされる。その理由のため、円形の孔よりむしろスリット形状の孔が好ましい。すなわち、円形の形状が孔５の形状として利用される場合には、円形形状の孔の中に位置するパッチがブラダーの圧力を受ける。それによりパッチは拡大され、その結果織布層１の球状はおそらく維持されない。他方、スリット上の形状が孔５の形状として利用される場合には、織布層１の球状はおそらく維持される。さらに、スリットの数が多いほど、織布片２の強度は低くなる。結果的に、直角で互いを二等分にする２つのスリット５ａ、５ｂが最も好ましい。
【００５３】
その上、孔５が前述された範囲内の長さを有するスリット５ａ、５ｂから構成される場合、ブラダーは裏返しにされる層１の中に容易に収容される。前述されたように、スリット５ａ、５ｂが約１５ｍｍという長さを有する場合、ブラダーはスリットを通して収容できる。しかしながら、織布層は約１５ｍｍという長さを有するスリットを通して裏返すことはできない。
【００５４】
図４および図５に図示されるように、織布片２の孔５は、ラテックスペーストなどの接着剤７で織布層１の内側からパッチ６を織布片２に接着することにより閉じられる。パッチ６は同じ材料および構造を有する布地から作られ、そこでは２枚の織布が織布片２の織布のように互いに接着され、半径が約６０ｍｍである円板形状を有する。パッチ６が織布層１の外部に位置する場合には、パッチ６は、ブラダーが収容されるときにパッチの厚さ分突出し、それ以後ブラダーは空気で膨らまされる。結果的に、該突出したパッチがおそらくミラースルー影響を生じさせる。その理由から、パッチ６が織布層１の内側に位置する。
【００５５】
図６および図７に図示されるように、織布片２にパッチ６を確実に固定するために、織布片２がパッチ６と縫い合わされるこのような構造が利用される。すなわち、パッチ６が織布層１の内側から織布片２に当接された後、パッチ６および織布片２はスリット５ａ、５ｂに沿って縫い付けられ、ミシンまたは耐えによって縫い糸を使用して螺旋形で縫い付けられる。そのケースでは、パッチ６は前述されたように織布層１の内側に位置する。
【００５６】
図８には、接着剤で互いに接着される布から作られる２枚の円板６ａ、６ｂを備えるパッチ６の別の実施形態が示される。該２枚の円板の内の一方の直径は該２枚の円板の他方の１つの直径とは異なる。円板６ａ、６ｂのそれぞれは、布地から作られる２枚が互いに付着される織布片２と同じ構造を有する。たとえば、円板６ａは６０ｍｍという直径を有し、円板６ｂは４０ｍｍという直径を有し、パッチ６の円板６ａは接着剤で織布片２に接着される。パッチ６の重量の、ブラダーのバルブの重量に対するバランスが考慮されるため、円板６ｂが追加される。通常のバルブの重量は約４．５ｇである。しかしながら、円板６ａだけを有するパッチの重量は４．５ｇよりわずかに小さい。その理由から、パッチ６の重量は、パッチ６の重量が円板６ｂを追加することによりバルブの重量（つまり４．５ｇ）に等しくなるように設定される。パッチ６がただ１枚の円板６ａから構成される場合にも、パッチ６の重量の、バルブの重量に対するバランスが改善されるこのような効果が達成されることに注意する。
【００５７】
図９は、孔５がミシンまたは手縫いによってパッチなどのあらゆる追加要素を使用せずに縫い糸８を使用してジグザグ形の縫い目がスリット５ａ、５ｂのそれぞれに交互となるように織布片２を縫い付けることにより閉じられる他の構造を示す。通常、縫い付け手順は、縫い糸をミシンより緩めることを可能にせずに実行することができ、それにより結果として生じる製作の強度は手縫いの結果生じる強度より大きい。結果的に、好ましくは該製作はミシンにより作られる。
【００５８】
図１０に図示されるように、この実施形態の織布片２は、２枚の正五角形の無地の織布シート（以後五角形布地シートと呼ばれる）９、１０から構成される。該２枚の五角形布地シート９、１０は、布地シート９の縦糸方向ａが布地シート１０の縦糸方向ａに垂直になるように配置され、以後布地シート９は、ラテックスペーストなどの粘着性を有する接着剤で布地シート１０に接着される。その結果、布地シート９および１０の縦糸方向ａの層引っ張り強さは布地シート９と１０の横糸方向ｂの引っ張り強さに等しい。通常、無地の織布では、縦糸の引張り強さは横糸方向の引っ張り強さより大きい。その理由から、縦糸方向と横糸方向の強さの差がある条件下で無地の織布が使用され、無地の織布は変形を引き起こすために横糸方向でより速く伸張される。結果的に、本実施形態の織布片２は前述されたような構造を有する。
【００５９】
織布片２はバイアス影響のために縦糸方向ａ（あるいは横糸方向ｂ）に対し４５度の方向で伸張する傾向があり、ボールにかけられる衝撃が吸収、緩和される。織布片２のための材料として、綿、綿とポリエステルの混紡、ケブラー（Ｋｅｖｌａｒ）（登録商標）などの高強度繊維織物が使用される可能性がある。
【００６０】
前述された実施形態では、積層され、互いに付着される織布片２が２枚の無地の織布シート９、１９から構成されるこのようなケースが説明される。織布片を構成するための無地の織布シートの数は２枚に制限されず、３枚または４枚以上が使用される可能性がある。織布片２が３枚の無地の織布布地シートから構成される場合には、該３枚の無地の織布布地シートの内の１枚の縦糸方向ａの引張り強さは、他の２枚の無地の織布布地シートの縦糸方向ａの総引っ張り強さと等しくなるように設定される必要がある。さらに、織布片２は４枚の無地の織布布地シートから構成され、互いに等しい引っ張り強さを有する無地の織布布地シートが交互に積層され、互いに付着され、該積層されたシートの内の１枚の縦糸方向が積層されたシートの前述された１枚に隣接する積層されたシートの他方の１枚の縦糸ａに垂直になるように当該シートを配列することが必要である。要約すると、織布片２を構成する布地は、総織布片２として、縦糸方向ａの引っ張り強さが横糸方向ｂの引っ張り強さに等しくなるように配列されなければならない。
【００６１】
図１１に図示されるように、織布片２は、正五角形を有するように、特に５つの辺（または先端）のそれぞれが、必要とされる数の織布片が縫い合わされるときに球形の本体を得るような湾曲の半径を有するために外向きに突出するこのような形状を有するように構築される。該５つの辺の任意の１つの長さは該５つの辺の他方の１つの長さに等しい。参照符号１１は、辺に沿って印刷される縫い付け手順のための案内線を示し、参照符号１２は案内線と各頂点での辺のあいだに印刷されるマーキングを示す。該マーキング１２は位置合わせのために使用される。
【００６２】
図１２に図示されるように、２つの織布片２が互いに重ね合わされた後で、該重ね合わされた織布片２はミシンの裁縫台１３の上に位置し、次に該重ね合わされた織布片は、上糸１４ａと下糸１４ｂから構成される縫い糸１４で案内線１１に沿って縫い合わされる。参照符号１５は縫い針を示す。縫い目が案内線１１から離れると、設計されるような球形の本体は織布層１から形成できない。そのため、縫い目は正確に位置しなければならない。案内線１１は所定の曲線に沿って正確に縫い付けるために重要な役割を果たす。このようにして、１２個の織布片の辺のすべてが縫い合わされる。その時点で、直角に折られるような条件下で案内線１１の外側に位置する（図３を参照すること）周辺端縁１６が縫い付けられる。縫い付け線がプログラムによって設定できる高周波ミシンの場合、案内線が必要とされないことに注意する。
【００６３】
縫い付け手順の完了後、織布層１は孔５を使用して裏返される。その結果、周辺の端縁１６（図３を参照すること）は織布層１の内側に位置する。ブラダーはこのようにして得られた球状の織布層１の中に孔５を通して収容される。
【００６４】
図１３は、パッチ６が孔５を覆うために織布層１の内側に当接され、パッチ６および織布層１は縫い合わされる。図１３に図示されるように、ブラダー１７が織布層１の中に収容された後に、ミシンの張り１５の真下に位置するバルブ孔４は円筒部を有する取り付け具１８（図１４を参照すること）と係合し、該円筒部にはその上側および下側でフランジ部分が備えられる。円筒部の外径は実質的にはバルブ孔４の直径と同じである。バルブ孔４の周辺部はフランジ部分のあいだに挟まれ、それにより織布層１の中のバルブ孔４はミシンの張り１５の真下に固定される。その状態で、織布層１の中の孔５は、縫い糸１４を使用して縫い付け手順により閉じられる。該手順は「閉鎖縫合」と呼ばれる。そのときに、ブラダー１７は、ブラダー１７が張り１５に対して衝突しないように織布層１内の空間の片側に偏向される。好ましくは、その番手が５番である縫い糸は、ポリエステル等から作られている。前述されたように、縫い糸１４は織布層１の上側に位置する上糸１４ａと布地１の下側に位置する下糸１４ｂから構成されている。閉鎖縫合により、層１は閉じられた球状を有するように形成できる。閉鎖縫合は、パッチ６が織布層１の内側に当接された後にミシンによってだけではなく、手縫いによっても実行される。そのケースでは、指が孔５を通して差し込まれた後に、織布層１およびパッチ６が、指および親指により織布層１とパッチ６を摘まんでいるあいだに針を使用することにより縫い付けられる。孔が指を差し込むには狭くなりすぎると、指を引き抜いた後に、織布層１およびパッチ６が、織布層１およびパッチ６が指と親指により挟まれているあいだに縫い合わされ、パッチ６はバルブ孔４に当接される。通常、閉鎖方々では、その構造が他の部分を縫い付けるために使用されるミシンの構造とは異なる特殊なミシンが必要とされる。しかしながら、手縫いによる閉鎖縫合においても、孔５は特殊なミシンを使用せずに閉じられる。
【００６５】
図１５に示されるように、バルブ１９およびバルブ保持部２０はブラダー１７の中に、およびバルブ１９の周辺部内に位置する表面上に固定され、バルブ１９に付着される円板形状のパッチ２１が提供される。バルブ保持部２０および円板形状のパッチ２１は、ブラダー１７が加硫処理されるあいだにブラダー１７に付着されるように加硫処理される。バルブ保持部２０および円板形状のパッチ２１は接着剤でブラダー１７に接着される可能性がある。ブラダー１７が加硫処理された後に、バルブ１９はバルブ保持部２０の中心に形成される開口部と係合される。バルブ１９の中心で、開口の中に差し込まれる空気供給張りによってブラダー１７の中にそれを通して空気が導入される開口２２が形成される。
【００６６】
孔５が閉じられた後で、バルブ１９はバルブ孔４と位置合わせされ、円板形状のパッチ２１は接着剤で織布層１の内側に接着される。接着された部分以外の織布層１とブラダー１７のあいだに位置するパーツに関しては、織布層１はブラダー１７と単に接するにすぎない。
【００６７】
ラテックスラバー、ブチルラバーなどの空気透過性を持たないゴムから作られるブラダー１７は、中空の球形の本体の中に形成される。ブラダー１７内で設定される空気圧は、約１．０ｋｇｆ／ｃｍ2である。空気圧は、エアポンプからの空気供給針を通して空気を充填することにより達成され、空気供給針はバルブ１９内に形成される開口２２に差し込まれる。
【００６８】
図１６、図１７では、参照符号２３は、クロロプレンゴム接着剤、天然ゴム接着剤などの接着剤で織布層１の上に接着される１２枚の五角形のパネル２４および２０枚の六角形のパネル２５を備える表皮層を示す。織布層１の表面全体が、隙間なく２２枚のパネル、２４、２５で完全に覆われる。そのために、パネル２４または２５の内の１枚の周辺の端縁はパネル２４または２５の内の他の１枚の周辺の端縁と接する。
【００６９】
パネル２４または２５の適切な材料は合成皮革、ポリ塩化ビニル樹脂皮革、熱可塑性ポリウレタン樹脂膜、その表面にポリウレタン薄膜および天然皮革を有するウレタンフォームである。３２枚のパネル２４、２５を備える表皮層２３は、一種の多面体である準正３２面体をいくぶん外向きに拡大することにより得られるこのような球状を有する。参照符号２６は、六角形パネル２５に形成されるバルブ孔を示す。該バルブ孔２６は、織布層１に形成されるバルブ孔４に一致する。
【００７０】
パネルは、織布層１と同様に、代わりに１２枚の五角形パネルを使用して正１２面体に形成されてよい。また、そのケースで好ましくは、パネルの各周辺端縁は球状を得るために外向きに曲げられる。
【００７１】
好ましくは隣接するパネル２４、２５の連結線２７および織布片２の縫い目線２８は、は、連結線２７が縫い目線２８の上に重ね合わないように配列される。織布片２内の各縫い目線２８は、縫い目線２８の引っ張り強さが縫い目線２８の周辺部の引っ張り強さより小さいにも関わらず、織布片全体を球形に保つほど十分な強度を有する。同様に、連結線２７に位置する隣接するパネル２４，２５の連結部の引っ張り強さは、連結線２７の周辺部の引っ張り強さより小さい。結果的に、織布片の縫い目線２８、および隣接するパネル２４、２５の連結線２７は交差し、より低い強度の部分が、縫い目線２８および連結線２７の交差を可能な限り少なく回避するために球面上で分散される。
【００７２】
図１７で図示されるように、織布片２の中で縫い付けられる縁部１６は約９０折られ、その結果縁部１６は内向きに突出する。しかしながら、内向きに突出した縁部１６はブラダー１７により加圧され、縁部１６が織布片２の背面と接触するようにさらに折られる。
【００７３】
内向きに突出した部分はブラダー１７の変形により吸収される。そのために、内向きに突出した部分は球体に影響をおよぼさず、織布層１内で凹凸を有さない完全な球面が滑らかに保たれる。織布層１および表皮層２３のあいだに、織布層１と表皮層２３の接着強さを改善するために、ラバーカバリング層（不図示）が挟まれる可能性がある。
【００７４】
パネル２４、２５のそれぞれは、皮革または皮革上の表面層（以後表面層と呼ばれる）２９、表面層２９の背面に設けられるパネル布層３０、およびフォーム材料から作られる衝撃吸収層３１から構成される。表面層２９の周辺の端縁およびパネル布層３０は、周辺の端縁の端部が表皮層２３の背面に対して約９０度円形に回転されるように折られる。表面層２９、パネル布層３０、および衝撃吸収層３１はラテックスペーストなどの接着剤で互いに接着される。衝撃吸収層３１の側面もパネル布層３０に接着される。表面層２９およびパネル布層３０の先端、および衝撃吸収層３１の背面は織布層１に接着される。
【００７５】
衝撃吸収層３１は、衝撃を吸収、緩和するための要素としてだけではなく、パネル２４、２５の厚さを一定に保つために厚さを調整するための要素としても役立った。連結部２７では、隣接するパネルの周辺の端縁が縫い合わされるために９０度内向きに折られる構造の手縫いのボールの形状と同じ形状を有する狭い／急勾配の溝が形成される。溝の下部では、隣接する表面層２９が互いに接合され、接着剤で互いに接着できる。それにより、連結部２７内の隣接する表面層２９は互いに密接に接し、隣接する表面層間の隙間が発生するのを妨げられる。その結果、水が進入するのが妨げられる。さらに、本実施形態の球技用のボールは、手縫いのボールでの溝に類似した溝を有し、把持特性が強化され、飛行距離が増加する効果を有する。
【００７６】
さらに、所定の距離（４から５ｍｍ）互いから離間されるように円形に回転される先端を高周波作業または間欠付着に間欠にさらすことにより波形状の凹凸が連続して形成される場合、手縫いボールの縫合線に類似する擬似縫合線を得ることができる。
【００７７】
パネル布層３０および衝撃吸収層３１の構造に加えて、互いと積層される複数のパネル布層３０を備えるこのような構造、あるいは複数のパネル布層３０および前述された構造に加えて互いと積層される複数の衝撃吸収層３１を備えるが利用される可能性がある。しかしながら、衝撃吸収および緩和効果の強化を考慮して、衝撃吸収層３１が表面層２９と織布層１のあいだに挟まれる構造を利用することが好ましい。
【００７８】
パネル布層３０のための適切な材料は織布または不織布である。パネル布層３０はパネル２４、２５を強化し、表皮層２９および衝撃吸収層３１の接着強さが改善される。しかしながら、パネル布層３０は必ずしも必要とされず、パネル布層３０は、高い接着強さの接着剤が使用される場合には省略される可能性がある。
【００７９】
衝撃吸収層３１のための適切な材料は、好ましくは、クロロプレン、ポリウレタン、ＥＰＤＭ、ポリエチレン、ＥＶＡ（エチレンビニルアセテートコポリマー）、ＳＢＲおよびＮＲから構成されるグループから選択される発泡材から作られるシートである。衝撃吸収層３１の緩衝材特性を調整することによって、ボールの弾み高さを調整できる。
【００８０】
前述された構造を有するパネル２４、２５の代わりに、従来の積層ボールで利用されるパネルが使用される可能性がある。そのケースでは、パネルの周辺の端縁は斜めに切除され、その結果隣接するパネルの連結部では、Ｖ形状の浅い溝が形成される。
【００８１】
図１８は、前述された構造とは異なる構造を有する表皮層を示す。すなわち、図１８に示される本実施形態では、２枚のパネル３２が、該２枚のパネル３２の一方の表面が２枚のパネル３２の他方の１つの表面と接触するように重ね合わされた後に、重ね合わされたパネル３２の周辺の端縁がミシンで縫い合わされるがこのような構造が利用される。パネル３２は、表皮層の背面が不織布層で強化されるポリウレタンから作られる表皮層を備える合成皮革から作られる可能性がある。参照符号３３はミシンの張りを示し、参照符号３４は縫い糸を示し、参照符号３５はパネル３２の背面に付着される衝撃干渉層を示し、衝撃干渉層は発泡材から作られる。その周辺端縁が縫い合わされるパネル３２は、縫い合わされる周辺端縁が図１９に図示されるように結果として生じるボールの内側に位置する。パネル３２のどれか１つの周辺端縁は球形の表皮層を形成するためにパネル３２の内の１枚に隣接するパネル３２の他の１枚の周辺端縁と縫い合わされる。このケースでは、閉鎖縫合は手縫いにより実行される。
【００８２】
従来の手縫いボールでは、織布層などの強化層はない。そのため、いわゆる裏地がパネルのそれぞれの背面に付着され、その結果、パネルは容易に曲がらない。その結果、このような縫い付け手順はミシンで実行できない。他方、前述されたような構造を有する本発明のボールにしたがって、強化層として役立つ織布層が、ブラダーを覆うような方法で設けられる。そのため、パネルの背面では、織布（いわゆる裏地）を有することは必要とされず、本発明のパネルは柔らかで、曲げやすい。その結果、縫い付け手順はミシンを用いて実行できる。
【００８３】
本発明のボールの構造では、織布層が表皮層に付着される領域はバルブ孔の周辺部内だけに位置し、織布層はバルブ孔の周辺部以外の領域内の表皮層には付着されない。すなわち、本発明のボールは、織布片が表皮層に付着されないより大きな部分を有する。言い換えると、該より大きな部分において、織布片は単に表皮層と接触するにすぎない。結果的に、織布層は表皮層を基準にして摺動でき、それによりボールの衝撃吸収特性が改善され、本発明のボールは人間の体に柔らかに衝突できる。前述された構造では、本発明の表皮層の縫い目強度は従来の手縫いのボールの強度ほど高くない場合があることに注意する。しかしながら、織布層は強化層として定められているため、ボールとして全体的に必要とされる強度は維持できる。
【００８４】
前記実施形態では、本発明のボールはサッカーボールに適用される例が説明される。本発明のボールは、たとえばバレーボール、ハンドボール、バスケットボール等など本発明の構造と同じ構造を有する任意のボールに応用できる。
【図面の簡単な説明】
【００８５】
【図１】本発明の球技用のボールの織布層を示す透視図である。
【図２】図１の線II−IIで取られる断面図である。
【図３】図１の線Ａに対応する円周に沿って切断される断面図である。
【図４】ボールの内部から見られる織布片の閉鎖構造の前面図であり、前記織布片は該織布層を裏返しにし、ブラダーを収容するためのスリット形状の孔を有する。
【図５】図４のＶ−Ｖの線の上で取られる断面である。
【図６】ボールの内側から見られる織布片の別の閉鎖構造の前面図であり、前記織布片は織布層を裏返しにし、ブラダーを収容するためのスリット形状の孔を有する。
【図７】図６のVII−VIIの線上で取られる断面図である。
【図８】本発明の別の実施形態のパッチを示す透視図である。
【図９】ボールの内部から見られる織布片の依然として別の閉鎖構造の前面図であり、前記織布片は織布層を裏返しにし、ブラダーを収容するためのスリット形状の孔を有する。
【図１０】２つの織布片がまだ互いに接着されていない状態を示す透視図である。
【図１１】織布片を示す前面図である。
【図１２】織布片を縫い合わせる方法を説明する断面図である。
【図１３】織布片がパッチと縫い付けられる構造を示す断面図である。
【図１４】取り付け具を示す透視図である。
【図１５】ブラダーのバルブおよび織布層を示す断面図である。
【図１６】ボールの完成した状態を示す斜視図である。
【図１７】図１６のXVII−XVIIの線上で截断される断面図である。
【図１８】表皮層の別の構造を示す断面図である。
【図１９】図１８に示される構造を有するパネルの折られていない状態を示す断面図である。
【図１】
2008080176.tif 000003
【図２】
2008080176.tif 000004
【図３】
2008080176.tif 000005
【図４】
2008080176.tif 000006
【図５】
2008080176.tif 000007
【図６】
2008080176.tif 000008
【図７】
2008080176.tif 000009
【図８】
2008080176.tif 000010
【図９】
2008080176.tif 000011
【図１０】
2008080176.tif 000012
【図１１】
2008080176.tif 000013
【図１２】
2008080176.tif 000014
【図１３】
2008080176.tif 000015
【図１４】
2008080176.tif 000016
【図１５】
2008080176.tif 000017
【図１６】
2008080176.tif 000018
【図１７】
2008080176.tif 000019
【図１８】
2008080176.tif 000020
【図１９】
2008080176.tif 000021